【手続補正書】
【提出日】平成18年7月20日(2006.7.20)
【手続補正１】
【補正対象書類名】明細書
【補正対象項目名】特許請求の範囲
【補正方法】変更
【補正の内容】
【特許請求の範囲】
【請求項１】  布地繊維および該繊維上にコーティングされた粒子吸引ポリマーを含む物品であって、カーボンブラックの粒子に対する、５０％以上の粒子吸引係数、およびＢｉａｘｉａｌ  Ｓｈａｋｅ  Ｔｅｓｔ  ＩＥＳＴ−ＲＰ−ＣＰ−ＣＣ００４．２で測定した場合に、１平方メートルあたり７５００万粒子以下の０．５ミクロンより大きい粒子の粒子数を有する、物品。
【請求項２】  前記繊維の重量に対して、０．０１重量％から６重量％のポリマーを有する、請求項１に記載の物品。
【請求項３】  前記繊維が織られているかまたは編まれているポリエステル繊維でありかつ１平方ヤードあたり２オンスから９オンスの重量を有する、請求項１に記載の物品。
【請求項４】  カーボンブラックに対する１００％以上の粒子吸引係数を有する、請求項１に記載の物品。
【請求項５】  前記ポリマーが２５，０００から１，０００，０００の数平均分子量を有し、かつ該ポリマーが、ヒドロキシ、ヒドロキシアルキルおよびカルボキシ基からなる群から選択される複数の側鎖を有する、請求項１に記載の物品。
【請求項６】  前記物品が、溶媒をしみ込まされ、密封容器に梱包されている、請求項１に記載の物品。
【請求項７】  Ｂｉａｘｉａｌ  Ｓｈａｋｅ  Ｔｅｓｔ  ＩＥＳＴ−ＲＰ−ＣＰ−ＣＣ００４．２で測定した場合に、１平方メートルあたり３０００万粒子以下の０．５ミクロンより大きい粒子の粒子数、およびＩＥＳＴ−ＲＰ−ＣＣ００４．２で測定した場合に、３．５ミリリットル／平方メートル以上の外因性吸収力を有する、請求項１に記載の物品。
【請求項８】  請求項１に記載の物品であって、該ポリマーが以下：
（ｉ）ヒドロキシ、ヒドロキシアルキル、およびカルボキシ基から選択される複数の側鎖を有する、多糖類；および
（ｉｉ）ビニル重合により形成され、ヒドロキシ、ヒドロキシアルキル、カルボキシ、アミノ、およびアルキルアミノ基から選択される複数の側鎖を有する、ポリマー；
からなる群から選択される水溶性ポリマーである、物品。
【請求項９】  前記ポリマーが２５，０００から１，０００，０００の平均分子量を有する、請求項８に記載の物品。
【請求項１０】  前記繊維の重量に対して０．０２重量％から３重量％のポリマーを有する、請求項９に記載の物品。
【請求項１１】  前記ポリマーが、セルロースエーテル、ポリビニルアルコールおよびビニルアルコールコポリマーからなる群から選択される、請求項９に記載の物品。
【請求項１２】  前記物品が、溶媒をしみ込まされ、密封容器に梱包されている、請求項１１に記載の物品。
【請求項１３】  カーボンブラックに対する１００％以上の粒子吸引係数、およびＢｉａｘｉａｌ  Ｓｈａｋｅ  Ｔｅｓｔ  ＩＥＳＴ−ＲＰ−ＣＰ−ＣＣ００４．２で測定した場合に、１平方メートルあたり３０００万粒子以下の０．５ミクロンより大きい粒子の粒子数を有する、請求項１１に記載の物品。
【請求項１４】  布地繊維および該繊維上にコーティングされた粒子吸引ポリマーを含むワイパーであって、該ポリマーが、（ｉ）セルロースエーテル；（ｉｉ）無機セルロースエステル；（ｉｉｉ）キトサン；（ｉｖ）ガーゴム、ならびにそのヒドロキシ、ヒドロキシアルキルおよびカルボキシ置換誘導体；（ｖ）デンプン、ならびにそのヒドロキシ、ヒドロキシアルキルおよびカルボキシ置換誘導体；（ｖｉ）ポリビニルアルコールおよびビニルアルコールコポリマー；（ｖｉｉ）ポリビニルピロリドン；（ｖｉｉｉ）ポリヒドロキシアルキルアクリレートおよびポリヒドロキシアルキルメタクリレート、ならびに（ｉｘ）ポリアルキルアクリルアミドおよびポリアルキルアクリルアミドコポリマー；からなる群から選択され、
ここで、前記物品が、Ｂｉａｘｉａｌ  Ｓｈａｋｅ  Ｔｅｓｔ  ＩＥＳＴ−ＲＰ−ＣＰ−ＣＣ００４．２で測定した場合に、１平方メートルあたり７５００万粒子以下の０．５ミクロンより大きい粒子の粒子数を有する、ワイパー。
【請求項１５】  前記繊維の重量に対して０．０５重量％から１重量％のポリマーを有する、請求項１４に記載のワイパー。
【請求項１６】  カーボンブラックに対する１００％以上の粒子吸引比を有する、請求項１４に記載のワイパー。
【請求項１７】  前記繊維が織られているかまたは編まれているポリエステル繊維でありかつ１平方ヤードあたり２オンスから９オンスの重量を有する、請求項１６に記載のワイパー。
【請求項１８】  前記ポリマーが、セルロースエーテル、ポリビニルアルコールおよびビニルアルコールコポリマーからなる群から選択される、請求項１４に記載のワイパー。
【請求項１９】  前記繊維の重量に対する０．０２重量％から３重量％のポリマー、およびカーボンブラックに対する５０％以上の粒子吸引比を有する、請求項１８に記載のワイパー。
【請求項２０】  Ｂｉａｘｉａｌ  Ｓｈａｋｅ  Ｔｅｓｔ  ＩＥＳＴ−ＲＰ−ＣＰ−ＣＣ００４．２で測定した場合に、１平方メートルあたり３０００万粒子以下の０．５ミクロンより大きい粒子の粒子数、およびＩＥＳＴ−ＲＰ−ＣＣ００４．２で測定した場合に、３．５ミリリットル／平方メートル以上の外因性吸収力を有する、請求項１９に記載のワイパー。
【請求項２１】  前記物品がさらに０．１ｐｐｍから０．５重量％の範囲の界面活性剤残留物を含む、請求項１４に記載のワイパー。
【請求項２２】  前記物品がさらに、アニオン性および非イオン性界面活性剤からなる群から選択される界面活性剤残留物を、０．５ｐｐｍから０．１重量％の範囲で含む、請求項１に記載の物品。
【請求項２３】  前記物品がさらに、０．１ｐｐｍから０．５重量％の範囲の界面活性剤残留物を含む、請求項８に記載の物品。
【請求項２４】  布地繊維および該繊維上にコーティングされた粒子吸引ポリマーを含む物品であって、カーボンブラックの粒子に対する、５０％以上の粒子吸引係数、およびＢｉａｘｉａｌ  Ｓｈａｋｅ  Ｔｅｓｔ  ＩＥＳＴ−ＲＰ−ＣＰ−ＣＣ００４．２で測定した場合に、１平方メートルあたり１００万粒子以下の５ミクロンより大きい粒子の粒子数を有し、そして密封容器に梱包されかつ該繊維上に該粒子吸引ポリマーがコーティングされた後に洗濯されていない、物品。
【請求項２５】  カーボンブラックに対する１００％以上の粒子吸引係数を有する、請求項２４に記載の物品。
【請求項２６】  前記ポリマーが２５，０００から１，０００，０００の数平均分子量を有し、かつ該ポリマーが、ヒドロキシ、ヒドロキシアルキルおよびカルボキシ基からなる群から選択される複数の側鎖を有する、請求項２４に記載の物品。
【請求項２７】  前記物品が、Ｂｉａｘｉａｌ  Ｓｈａｋｅ  Ｔｅｓｔ  ＩＥＳＴ−ＲＰ−ＣＰ−ＣＣ００４．２で測定した場合に、１平方メートルあたり３００，０００粒子以下の５ミクロンより大きい粒子の粒子数を有する、請求項２４に記載の物品。
【請求項２８】  請求項２７に記載の物品であって、前記粒子吸引ポリマーが水溶性であり、かつ以下：
（ｉ）ヒドロキシ、ヒドロキシアルキルおよびカルボキシ基から選択される複数の側鎖を有する多糖類；ならびに
（ｉｉ）ビニル重合により形成され、ヒドロキシ、ヒドロキシアルキル、カルボキシ、アミノおよびアルキルアミノ基から選択される複数の側鎖を有する、ポリマー、
からなる群から選択される、物品。
【請求項２９】  前記物品が、Ｂｉａｘｉａｌ  Ｓｈａｋｅ  Ｔｅｓｔ  ＩＥＳＴ−ＲＰ−ＣＰ−ＣＣ００４．２で測定した場合に、１平方メートルあたり１５０，０００粒子以下の５ミクロンよりも大きい粒子の粒子数を有する、請求項２４に記載の物品。
【請求項３０】  請求項２９に記載の物品であって、前記粒子吸引ポリマーが、（ｉ）セルロースエーテル；（ｉｉ）無機セルロースエステル；（ｉｉｉ）キトサン；（ｉｖ）ガーゴム、ならびにそのヒドロキシ、ヒドロキシアルキルおよびカルボキシ置換誘導体；（ｖ）デンプン、ならびにそのヒドロキシ、ヒドロキシアルキルおよびカルボキシ置換誘導体；（ｖｉ）ポリビニルアルコールおよびビニルアルコールコポリマー；（ｖｉｉ）ポリビニルピロリドン；（ｖｉｉｉ）ポリヒドロキシアルキルアクリレートおよびポリヒドロキシアルキルメタクリレート、ならびに（ｉｘ）ポリアルキルアクリルアミドおよびポリアルキルアクリルアミドコポリマーからなる群から選択される、物品。
【請求項３１】  前記物品が、溶媒をしみ込まされ、密封容器に梱包されている、請求項２４に記載の物品。